【手続補正書】
【提出日】平成18年10月27日(2006.10.27)
【手続補正１】
【補正対象書類名】特許請求の範囲
【補正対象項目名】全文
【補正方法】変更
【補正の内容】
【特許請求の範囲】
【請求項１】
カートリッジが装着可能であり、複数の画像形成速度で画像形成可能な画像形成装置であって、前記カートリッジは、前記画像形成速度に対応したプロセス要素の画像形成条件に係わる情報を記憶するための第１の記憶領域を有するメモリ媒体を有し、
画像形成装置本体は、前記画像形成条件を設定する制御ユニットを有し、
前記制御ユニットは、前記画像形成速度に対応した前記プロセス要素の画像形成条件に係わる情報に基づいて、前記画像形成速度に応じた画像形成条件を設定することを特徴とする画像形成装置。
【請求項２】
前記プロセス要素は、少なくとも像担持体を含み、
前記画像形成速度は前記像担持体の回転速度を含み、
前記制御装置は、前記像担持体の回転速度に対応した画像形成条件を設定することを特徴とする請求項１に記載の画像形成装置。
【請求項３】
前記メモリ媒体は、更に、前記カートリッジの使用量情報を記憶する第２の記憶領域を有することを特徴とする請求項１または２に記載の画像形成装置。
【請求項４】
前記メモリ媒体は、更に、前記カートリッジの使用量の閾値情報を記憶するための第３の記憶領域を有することを特徴とする請求項３に記載の画像形成装置。
【請求項５】
前記制御ユニットは、前記カートリッジの使用量情報が前記閾値情報に到達した場合に、前記画像形成条件を切り換えることを特徴とする請求項４に記載の画像形成装置。
【請求項６】
前記プロセス要素は、像担持体、前記像担持体を帯電するための帯電部材、前記像担持体上の潜像を現像するための現像部材を含み、
前記画像形成条件は、前記帯電部材または前記現像部材に印加するバイアスを含むことを特徴とする請求項１ないし５のいずれかに記載の画像形成装置。
【請求項７】
複数の画像形成条件で画像形成可能な画像形成装置本体に着脱可能であって、画像形成を行うためのプロセス要素と、メモリ媒体が備えられたカートリッジにおいて、
前記メモリ媒体は、前記画像形成速度に対応した前記プロセス要素の画像形成条件に係わる情報を記憶するための第１の記憶領域を有することを特徴とするカートリッジ。
【請求項８】
前記メモリ媒体は、更に、前記カートリッジの使用量情報を記憶する第２の記憶領域を有することを特徴とする請求項７に記載のカートリッジ。
【請求項９】
前記メモリ媒体は、更に、前記カートリッジの使用量情報の閾値情報を記憶する第３の記憶領域を有することを特徴とする請求項７または８に記載のカートリッジ。
【請求項１０】
前記プロセス要素は、少なくとも像担持体を含み、
前記画像形成条件は前記像担持体の回転速度を含むことを特徴とする請求項７ないし９のいずれかに記載のカートリッジ。
【請求項１１】
前記プロセス要素は、像担持体、前記像担持体を帯電するための帯電部材、前記像担持体上の潜像を現像するための現像部材を含み、
前記画像形成条件は、前記帯電部材または前記現像部材に印加するバイアスを含むことを特徴とする請求項７ないし９のいずれかに記載のカートリッジ。
【請求項１２】
前記メモリ媒体は、更に、前記カートリッジの使用量を演算するための演算係数情報を記憶する第４の記憶領域を有することを特徴とする請求項９に記載のカートリッジ。
【請求項１３】
複数の画像形成条件で画像形成可能な画像形成装置本体に着脱可能であって、画像形成を行うためのプロセス要素を有するカートリッジに搭載されるメモリ媒体において、
前記画像形成速度に対応した前記プロセス要素の画像形成条件に係わる情報を記憶するための第１の記憶領域を有することを特徴とするメモリ媒体。
【請求項１４】
更に、前記カートリッジの使用量情報を記憶する第２の記憶領域を有することを特徴とする請求項１３に記載のメモリ媒体。
【請求項１５】
更に、前記カートリッジの使用量情報の閾値情報を記憶する第３の記憶領域を有することを特徴とする請求項１４に記載のメモリ媒体。
【請求項１６】
前記プロセス要素は、少なくとも像担持体を含み、
前記画像形成速度は前記像担持体の回転速度を含むことを特徴とする請求項１３ないし１５のいずれかに記載のメモリ媒体。
【請求項１７】
前記プロセス要素は、像担持体、前記像担持体を帯電するための帯電部材、前記像担持体上の潜像を現像するための現像部材を含み、
前記画像形成条件は、前記帯電部材または前記現像部材に印加するバイアスを含むことを特徴とする請求項１３ないし１６のいずれかに記載のメモリ媒体。
【請求項１８】
更に、前記カートリッジの使用量を演算するための演算係数情報を記憶する第４の記憶領域を有することを特徴とする請求項１５に記載のメモリ媒体。
【手続補正２】
【補正対象書類名】明細書
【補正対象項目名】発明の名称
【補正方法】変更
【補正の内容】
【発明の名称】画像形成装置及びカートリッジ、カートリッジ用メモリ媒体
【手続補正３】
【補正対象書類名】明細書
【補正対象項目名】０００１
【補正方法】変更
【補正の内容】
【０００１】
本発明は、レーザービームプリンタ、複写機、ファクシミリなどの電子写真方式を用いた画像形成装置と、その画像形成装置に装着するプロセスカートリッジ、更には、プロセスカートリッジに搭載されたプロセスカートリッジ用メモリ媒体に関するものである。
【手続補正４】
【補正対象書類名】明細書
【補正対象項目名】０００８
【補正方法】変更
【補正の内容】
【０００８】
本発明の目的は、上記課題を解決するためのものであり、
安定した画像を形成可能とする画像形成装置及びカートリッジ、カートリッジ用メモリ媒体を提供することである。
【手続補正５】
【補正対象書類名】明細書
【補正対象項目名】０００９
【補正方法】変更
【補正の内容】
【０００９】
また、本発明の他の目的は、
複数の画像形成速度を有する画像形成装置において、画像形成速度の違いによって生じる画像のばらつきを補正して安定した画像を形成可能とする画像形成装置及びカートリッジ、カートリッジ用メモリ媒体を提供することである。
【手続補正６】
【補正対象書類名】明細書
【補正対象項目名】００１０
【補正方法】変更
【補正の内容】
【００１０】
また、本発明の他の目的は、メモリ内にカートリッジが使用されることに伴って累積される使用量情報と、使用量と比較される閾値情報と、使用量が閾値に達したときに設定されるべきプロセス条件に係わる情報を、装置の動作条件に対応して複数記憶することで、使用量の異なったカートリッジが動作条件の違いによって生じる画像のばらつきを補正し、安定した画像を提供することのできるプロセスカートリッジ用メモリ媒体、プロセスカートリッジ、プロセスカートリッジが着脱自在とされる画像形成装置を提供することである。
【手続補正７】
【補正対象書類名】明細書
【補正対象項目名】００１２
【補正方法】変更
【補正の内容】
【００１２】
また、本発明のカートリッジは、
複数の画像形成条件で画像形成可能な画像形成装置本体に着脱可能であって、画像形成を行うためのプロセス要素と、メモリ媒体が備えられたカートリッジにおいて、
前記メモリ媒体は、前記画像形成速度に対応した前記プロセス要素の画像形成条件に係わる情報を記憶するための第１の記憶領域を有することを特徴とする。
【手続補正８】
【補正対象書類名】明細書
【補正対象項目名】００１４
【補正方法】削除
【補正の内容】